(57)【特許請求の範囲】
【請求項１】
光磁気記録によりデータの書換え可能なデイスクであって、
連続したデータ単位が複数のパーツに分割されて離散的に記録可能なデータ領域と、
上記連続したデータ単位が分割されて上記データ領域に離散的に記録されたパーツの記録位置を示すアドレス情報と上記分割されて離散的に記録されたパーツの結合情報とからなるスロットが複数記録され、上記結合情報は結合すべきパーツに対応するスロット位置を指示するアドレステーブルと、
上記データ領域に離散的に記録されたデータ単位に対応するトラック番号情報からなり、上記アドレステーブルのスロット位置を指示するトラック番号テーブルとからなる管理情報が記録可能な管理領域と
を備えることを特徴とするデイスク。
【発明の詳細な説明】
【０００１】
【発明の属する技術分野】
本発明は、一連の記録データを分割して複数のデータ領域に記録するディスクに関する。
【０００２】
【従来の技術】
光ディスクは、磁気ディスクに比べて記録容量を２〜３桁程度大きくでき、テープ状記録媒体に比べて高速アクセスが可能である。また、媒体に対して非接触でデータの記録／再生が行え耐久性に優れる等の利点を有していることから、近年において多く用いられるようになってきている。この光ディスクとしては、いわゆるＣＤ（コンパクトディスク）が最も広く知られている。
【０００３】
上記ＣＤでは、１シンボル８ビットの信号を各々１４ビット（１チャンネルビット）のデータに変換したＥＦＭ（Eight to Fourteen Modulation）データとして与えられる２４ビットの同期信号、１４ビット（１シンボル）のサブコードと１４×３２ビット（３２シンボル）の演奏情報などのデータ及びパリティと、各シンボルの間に設けたそれぞれ３ビットのマージンビットから成る５８８ビットを１フレームとし、９８ビットフレームをサブコードブロックとするデータフォーマットが規格化されている。そして、上記１サブコードブロックの絶対アドレスが上記サブコードのうちのＱチャンネルのサブコード信号により与えられ、上記１サブコードブロック単位でデータ処理が演奏情報などデータに施されている。また、上記ＣＤには、演奏情報などが記録されたデータ領域の内周側にリードイン領域が設けられている。このリードイン領域には、データ領域の記録位置を示す目録（ＴＯＣ： Table of Contents）データとして、順番にその曲の開始位置を示すタイムコードと、そのディスクの最初の曲と最後の曲の曲番号と、最後の曲の曲番号と、最後の曲の終了位置を示すタイムコードが、サブコーディングされて上記Ｑチャンネルのサブコード信号として記録されている。
【０００４】
また、ＣＤ−Ｉ（ＣＤ−インタラクティブ）フォーマットにおいては、ビット圧縮されたディジタルオーディオ信号を記録／再生するモードとして、次の表１に示すような各レベルが規定されている。
【０００５】
【表１】
0003729758.tif 000002
【０００６】
この表１において、例えばレベルＢのモードで記録されたディスクを再生するときには、標準的なＣＤ−ＤＡフォーマットのディジタル信号を約４倍にビット圧縮した信号が再生される。したがって、例えば記録データのすべてがステレオのオーディオ圧縮データとなっているときには、約４倍の時間（あるいは４チャンネル分）の再生が行えるようになり、径が８ｃｍ程度以下の光ディスクでも７０分程度の記録再生が可能となる。
【０００７】
ところで、光ディスクを用いて携帯用の、特にいわゆるポケットサイズ程度のヘッドホンステレオ装置あるいはそれに類似する記録及び／又は再生装置を提供しようとする場合において、例えば上述したような既存のＣＤにおいては、ディスク径が１２ｃｍのものと、８ｃｍのもの（いわゆるＣＤシングル）とがフォーマット上規格化されているが、径が１２ｃｍのディスクでは、記録再生装置の外形寸法が大きくなり過ぎて携帯性に悪いことから、８ｃｍ、あるいはより小さな径のディスクを用いることが考えられる。しかしながら、この８ｃｍ程度以下の小さな径の光ディスクを用いて携帯用あるいはポケットサイズ程度の記録及び／又は再生装置を構成しようとする場合には、次のような問題がある。
【０００８】
先ず、サンプリング周波数が４．１ｋHzで１６ビット量子化されたステレオのディジタルＰＣＭオーディオ信号が記録された光ディスクがメーカ側から供給され、ユーザ側では再生のみが行われるような標準的なＣＤフォーマット（ＣＤ−ＤＡフォーマット）においては、径が８ｃｍのディスクの再生時間（記録時間）は最大でも２０分〜２２分程度と短く、クラシック音楽の交響曲を１曲通して収録できないことになる。再生時間としては、現在の１２ｃｍＣＤと同程度の最大７４分強程度が望まれる。また、このＣＤ−ＤＡフォーマットにおいては、ユーザ側での記録が行えない。さらに、非接触の光学ピックアップ装置は機械的な振動等に弱く、振動等によりトラックずれやフォーカスずれ等が生じ易いため、装置を携帯する場合においては、これらのトラックずれやフォーカスずれ等による再生動作への悪影響を抑えるための何らかの強力な対策が必要とされる。
【０００９】
次に、上記標準的なＣＤフォーマット（ＣＤ−ＤＡフォーマット）の拡張フォーマットとしてのＣＤ−ＭＯフォーマット（記録可能な光磁気ディスクを用いるフォーマット）では、径を８ｃｍとしたディスクの記録再生時間が上記ＣＤ−ＤＡフォーマットと同じく２０分〜２２分程度であり、短いという欠点がある。また、機械的振動等による光学ピックアップ装置のトラックずれやフォーカスずれが生じ易く、これによる記録、再生動作への悪影響を防止する対策が必要とされる。
【００１０】
ところで、上記ＣＤ−Ｉフォーマットにおいては、標準のＣＤ−ＤＡフォーマットと同じ線速度でディスクが回転駆動されることより、連続するオーディオ圧縮データがディスク上での記録単位のｎ単位につき１単位の割合で再生されることになる。この単位は、ブロックあるいはセクタと称されるものであり、１ブロック（セクタ）は９８フレームで、周期は１／７５秒である。ｎは上記再生時間、あるいはデータのビット圧縮率に応じた数値であり、例えばレベルＢのステレオのモードでは、ｎ＝４となる。したがって、このレベルＢのステレオのモードでは、セクタ単位で、Ｓ Ｄ Ｄ Ｄ Ｓ Ｄ Ｄ Ｄ ・・・（ただし、Ｓはオーディオセクタ、Ｄは他のデータセクタ）
のように、４セクタにつき１セクタがオーディオセクタとされたデータ列が、ディスクに記録されていることになる。ただし実際の記録時には、上記データ列は、通常のＣＤフォーマットのオーディオデータに対するのと同様な所定のエンコード処理（誤り訂正符号化処理及びインターリーブ処理）が施されるため、ディスク上の記録セクタにはオーディオセクタＳのデータとデータセクタＤのデータとが分散されて配置されることになる。ここで上記他のデータセクタＤとしては、例えばビデオデータやコンピュータデータ等が用いられるわけであるが、このデータセクタＤにもビット圧縮オーディオ信号を用いる場合には、４チャンネル分のオーディオセクタＳ１〜Ｓ４が順次巡回的に配置されたデータ列〔Ｓ１，Ｓ２，Ｓ３，Ｓ４，Ｓ１，Ｓ２，Ｓ３，Ｓ４・・・〕がエンコード処理されてディスク上に記録されることになる。
【００１１】
そして、連続するオーディオ信号を記録再生する場合には、上記４チャンネルのオーディオ信号を第１チャンネルから順次第４チャンネルまで接続して用いることになる。このとき、ディスク最内周からオーディオセクタＳ１に対応する第１チャンネルのデータを最外周まで再生した後、再びディスク最内周に戻って、今度はオーディオセクタＳ２に対応する第２チャンネルのデータを最外周まで再生し、次に再びディスク最内周から次のオーディオセクタＳ３に対応する第３チャンネルのデータを最外周まで再生し、最後に再びディスク最内周から残りのオーディオセクタＳ４に対応する第４チャンネルのデータを最外周まで再生することによって、連続した４倍の時間の再生が行われるわけである。
【００１２】
ところが、上述のような連続再生の際には、最外周から最内周に戻る長距離のトラックジャンプ動作が何度か必要となり、このトラックジャンプ動作は瞬時には行えないため、この間の再生データがなくなって再生音が途切れてしまうという大きな問題がある。また、連続するオーディオ信号を記録しようとすると、記録時のインターリーブ処理の関係から、例えばセクタＳ２の信号のみを単独に記録することはできず、隣接するセクタＳ１とＳ３、あるいはさらに周辺のセクタのデータをも含めたインターリーブが必要となって、既に記録されているセクタの信号を書き換えることが必要となる。したがって、このような連続的な圧縮オーディオデータの記録は非常に困難である。
【００１３】
【発明が解決しようとする課題】
ところで、従来のＣＤ−ＭＯフォーマットでは、上述の標準的なＣＤ−ＤＡフォーマットと同様に、ＴＯＣ情報として、始まりのアドレスと終わりのアドレスを記録するように定められている。従来、ＣＤ−ＭＯシステムでは、メモリコントロールを前提としていないので、不連続な領域をアクセスする際に情報が失われてしまうという理由から、上記記録の条件として必ず記録領域は連続した１つの領域に限定されていた。このように、従来のＣＤ−ＭＯフォーマットでは、１連の記録データを分割して複数の領域に記録することはできないために、例えば１度記録したあるトラックを消去した後に再び記録する場合や、編集作業をする際に、１つの連続する空き領域にしか記録を行うことができないという問題点があった。例えば、図１３に示すように、６０分の記録時間を確保した記録領域を有する光磁気ディスクを想定し、０分から１５分までのデータ領域Ｄ１に第１の演奏情報が記録されているとともに、３０分から４５分までのデータ領域Ｄ３に第２の演奏情報が記録されており、１５分から３０分までデータ領域Ｄ２及び４５分から６０分までのデータ領域Ｄ４にはデータが記録されていない場合に、リードイン領域には、図１４に示すように、上記第１の演奏情報が０分から１５分までのデータ領域Ｄ１に記録されていることを示す情報として、第１の演奏情報を示すトラック番号情報「１」、記録開始情報「０」及び記録開始位置情報「００分００秒００フレーム」と、第１の演奏情報を示すトラック番号情報「１」、記録終了情報「０」及び記録開始位置情報「１５分０４秒００フレーム」が記録され、また、上記第２の演奏情報が３０分から４５分までのデータ領域Ｄ３に記録されていることを示す情報として、第２の演奏情報を示すトラック番号情報「２」、記録開始情報「０」及び記録開始位置情報「３０分００秒０６フレーム」と、第１の演奏情報を示すトラック番号情報「２」、記録終了情報「０」及び記録開始位置情報「４５分００秒００フレーム」が記録される。そして、上記光磁気ディスクに新たに第３の演奏情報を記録する場合には、空いているデータ領域Ｄ２とデータ領域Ｄ４に亘って記録することはできず、データ領域Ｄ２又はデータ領域Ｄ４の記録容量の範囲内でしか記録することができない。
【００１４】
そこで、本発明は、このような実情に鑑みてなされたものであり、一連の記録データが分割して複数のデータ領域に記録され、これらのデータ領域から上記一連の記録データが再生されるディスクを提供するものである。
【００１５】
【課題を解決するための手段】
本発明は、光磁気記録によりデータの書換え可能なデイスクであって、連続したデータ単位が複数のパーツに分割されて離散的に記録可能なデータ領域と、上記連続したデータ単位が分割されて上記データ領域に離散的に記録されたパーツの記録位置を示すアドレス情報と上記分割されて離散的に記録されたパーツの結合情報とからなるスロットが複数記録され、上記結合情報は結合すべきパーツに対応するスロット位置を指示するアドレステーブルと、上記データ領域に離散的に記録されたデータ単位に対応するトラック番号情報からなり、上記アドレステーブルのスロット位置を指示するトラック番号テーブルとからなる管理情報が記録可能な管理領域とを備えることを特徴とする。
【００１６】
このような構成の本発明に係るディスクでは、トラック番号テーブルがアドレステーブルのスロット位置を指示し、スロット内の結合情報が結合すべきパーツに対応する上記アドレステーブルのスロット位置を指示する。
【００１７】
【発明の実施の形態】
先ず図１は、本発明の一実施例となる光ディスク記録再生装置の概略構成を示すブロック回路図である。
【００１８】
この図１に示す光ディスク記録再生装置は、データの記録再生可能な記録再生領域を有する光磁気ディスクと、記録データの再生専用領域を有する再生専用の光ディスクと、さらに、データの記録再生可能な記録再生領域と記録データの再生専用領域を有する光磁気ディスクが記録媒体として使用されるもので、これらのディスクがスピンドルモータ１により回転駆動されるようになっている。ここでは、例えば図２に示すように再生専用領域Ａ１０とこの再生専用領域Ａ１０の外側に設けられた記録再生領域Ａ２０とを有する光磁気ディスク２が上記スピンドルモータ１により回転駆動されるようになっている。
【００１９】
上記光磁気ディスク２の再生専用領域Ａ１０は、演奏情報などのデータが記録されたデータ領域Ａ１１と、その内周側に設けられたリードイン領域Ａ１２とを有している。この再生専用領域Ａ１０には、ディジタルデータが「１」，「０」に対応するピットの有無として記録されている。上記リードイン領域Ａ１２には、上記データ領域Ａ１１の記録位置や記録内容を示す目録（TOC ：Table ofContents)データとして、すべての演奏情報について順番に記録開始アドレス情報と記録終了アドレス情報が記録されている。
【００２０】
また、上記光ディスク１の記録再生領域Ａ２０は、演奏情報などのデータが記録されるデータ領域Ａ２１と、その内周側に設けられたリードイン領域Ａ２２とを有している。この記録再生領域Ａ２０が光磁気記録媒体領域となっている。そして、上記リードイン領域Ａ２２には、上記データ領域Ａ２１に記録された記録データの記録位置や記録内容を示すＴＯＣデータとして、各データ領域に記録された一連の記録データを示すトラック番号情報と、各データ領域の位置を示すアドレス情報と、１のデータ領域から他のデータ領域への結合先を示す結合アドレス情報が記録される。
【００２１】
この実施例では、上記ＴＯＣデータは、図３のデータテーブルに示すように、１６バイトのヘッダデータに続くメインデータとして上記リードイン領域Ａ２２に記録される。上記図３のデータテーブルにおいて、４バイト単位の縦方向アドレス「０〜３」がヘッダデータであって、縦方向アドレス「０〜２」の１２バイトが同期信号、縦方向アドレス「３」の第１バイト及び第２バイトがクラスタアドレスに割り当てられている。また、縦方向アドレス「１１」の第４バイトは、このデータテーブル内の空き領域を示すポインタＰ−ＦＡＴに割り当てられている。
【００２２】
また、縦方向アドレス「１２〜１６」の領域はトラック番号テーブルを形成しており、縦方向アドレス「１２」の第１バイトが記録データの記録可能な領域の開始アドレスのポインタＰ−ＦＲＡに割り当てられ、さらに、縦方向アドレス「１２」の第２バイトから縦方向アドレス「７５」の第４バイトまでがトラック番号ｎの開始アドレスのポインタＰ−ＴＮＯｎに割り当てられている。上記ポインタＰ−ＴＮＯｎの値は、開始アドレス＝７６×４＋（Ｐ−ＴＮＯｎ）×８で与えられるトラック番号ＴＮＯ−ｎの開始アドレスを与えるオフセットポジションを示す。
【００２３】
そして、縦方向アドレス「７６〜８５」は、データ領域のアドレステーブルを形成しており、上記ポインタＰ−ＦＲＡ，Ｐ−ＴＮＯｎにより指定されるデータ領域の開始アドレス及び終了アドレスに割り当てられる。上記縦方向アドレス「７６」以降の偶数アドレスの第１乃至第３バイトが上記データ領域の開始アドレスに割り当てられ、また、上記縦方向アドレス「７６」以降の奇数アドレスの第１乃至第３バイトが上記データ領域の終了アドレスに割り当てられる。さらに、上記縦方向アドレス「７６」以降の偶数アドレスの第４バイトは、著作権の保護モードや書換え禁止モードなどの各種トラックモード情報に割り当てられる。そして、上記縦方向アドレス「７６」以降の奇数アドレスの第４バイトが１のデータ領域から他のデータ領域への結合先を示すポインタＬｉｎｋ−Ｐに割り当てられている。
【００２４】
ここで、例えば図４に示すように、第１の演奏情報が〔０００〕Ｈクラスタから〔１Ｃ４〕Ｈクラスタまでのデータ領域Ｄ１に記録され、〔１Ｃ４〕Ｈクラスタから〔３８４〕Ｈクラスタまでのデータ領域Ｄ２が空き領域となっており、また、第２の演奏情報が〔３８４〕Ｈクラスタから〔５４６〕Ｈクラスタまでのデータ領域Ｄ３に記録され、〔５４６〕Ｈクラスタから〔７０８〕Ｈクラスタまでのデータ領域Ｄ４が空き領域となっているとすると、上記リードイン領域Ａ２２には、図５のＴＯＣデータテーブルに示すようなＴＯＣ情報が記録される。すなわち、ＴＯＣデータテーブルは、縦方向アドレス「８４」以降が空き領域になっているので、上記縦方向アドレス「１１」の第４バイトのＰ−ＦＡＴデータとして、上記縦方向アドレス「８４」を示す〔０４〕Ｈが記録される。また、上記縦方向アドレス「１２」の第１バイトのポインタＰ−ＦＲＡデータとして、上記縦方向アドレス「７６」を示す〔００〕Ｈが記録される。また、縦方向アドレス「１２」の第２バイトのポインタＰ−ＴＮＯ１データとして、上記縦方向アドレス「７８」を示す〔０１〕Ｈが記録される。また、縦方向アドレス「１２」の第３バイトのポインタＰ−ＴＮＯ２データとして、上記縦方向アドレス「８２」を示す〔０３〕Ｈが記録される。
【００２５】
そして、上記縦方向アドレス「１２」の第１バイトのポインタＰ−ＦＲＡデータ〔００〕Ｈにより指定された縦方向アドレス「７６」の第１乃至第３バイトとして上記データ領域Ｄ２の開始アドレス情報（すなわち〔０１Ｃ４〕Ｈクラスタ，〔００〕Ｈセクタ）が記録される。また、次の縦方向アドレス「７７」の第１乃至第３バイトとして上記データ領域Ｄ２の終了アドレス情報（すなわち〔０３８３〕Ｈクラスタ，〔１Ｆ〕Ｈセクタ）が記録される。さらに、上記縦方向アドレス「７７」の第４バイトのポインタＬｉｎｋ−Ｐデータとして、上記縦方向アドレス「８０」を示す〔０２〕Ｈが記録される。上記ポインタＬｉｎｋ−Ｐデータ〔０２〕Ｈにより指定された縦方向アドレス「８０」の第１乃至第３バイトとして上記データ領域Ｄ４の開始アドレス情報（すなわち〔０５４６〕Ｈクラスタ，〔００〕Ｈセクタ）が記録される。また、次の縦方向アドレス「８１」の第１乃至第３バイトとして上記データ領域Ｄ４の終了アドレス情報（すなわち〔０７０８〕Ｈクラスタ，〔１Ｆ〕Ｈセクタ）が記録される。さらに、上記縦方向アドレス「７７」の第４バイトのポインタＬｉｎｋ−Ｐデータとして、このデータ領域Ｄ４に続く空き領域がないことを示す〔００〕Ｈが記録される。
【００２６】
また、上記縦方向アドレス「１２」の第２バイトのポインタＰ−ＴＮＯ１データ〔０１〕Ｈにより指定された縦方向アドレス「７８」の第１乃至第３バイトとして、上記第１の演奏情報が記録されたデータ領域Ｄ１の開始アドレス情報（すなわち〔００００〕Ｈクラスタ，〔００〕Ｈセクタ）が記録される。また、次の縦方向アドレス「７９」の第１乃至第３バイトとして、上記データ領域Ｄ１の終了アドレス情報（すなわち〔０１Ｃ４〕Ｈクラスタ，〔１Ｆ〕Ｈセクタ）が記録される。さらに、上記縦方向アドレス「７９」の第４バイトのポインタＬｉｎｋ−Ｐデータとして、このデータ領域Ｄ１に続くデータ領域がないことを示す〔００〕Ｈが記録される。
【００２７】
また、上記縦方向アドレス「１２」の第３バイトのポインタＰ−ＴＮＯ２データ〔０３〕Ｈにより指定された縦方向アドレス「８２」の第１乃至第３バイトとして、上記第２の演奏情報が記録されたデータ領域Ｄ３の開始アドレス情報（すなわち〔０３８４〕Ｈクラスタ，〔００〕Ｈセクタ）が記録される。また、次の縦方向アドレス「８３」の第１乃至第３バイトとして、上記データ領域Ｄ３の終了アドレス情報（すなわち〔０５４５〕Ｈクラスタ，〔１Ｆ〕Ｈセクタ）が記録される。さらに、上記縦方向アドレス「８３」の第４バイトのポインタＬｉｎｋ−Ｐデータとして、このデータ領域Ｄ３に続くデータ領域がないことを示す〔００〕Ｈが記録される。
【００２８】
このように、この実施例における上記光ディスク１の記録再生領域Ａ２０は、演奏情報などのデータが記録されるデータ領域Ａ２１と、その内周側に設けられたリードイン領域Ａ２２とを有しており、上記データ領域Ａ２１に記録された記録データの記録位置や記録内容を示すＴＯＣデータとして、各データ領域に記録された一連の記録データを示すトラック番号情報からなるトラック番号テーブルのデータと、各データ領域の位置を示すアドレス情報と１のデータ領域から他のデータ領域への結合先を示す結合アドレス情報とからなるアドレステーブルのデータが上記リードイン領域Ａ２２に記録されるので、一連の記録データを分割して複数のデータ領域に記録することができる。しかも、上記一連の記録データを上記トラック番号テーブルのデータにより、簡単に且つ確実に管理することができる。
【００２９】
例えば図６に示すように、第３の演奏情報を上記データ領域Ｄ２とデータ領域Ｄ４に亘って記録することができる。この場合、上記データ領域Ｄ４の途中の〔５４６〕Ｈクラスタで上記第３の演奏情報の記録が終了したとすると、図７に示すようにＴＯＣデータテーブルが書き換えられる。
【００３０】
すなわち、上記第３の演奏情報を記録したデータ領域の位置を示すアドレス情報のポインタとして、上記縦方向アドレス「８０」を示すポインタＰ−ＴＮＯ３データ〔０２〕Ｈが上記縦方向アドレス「１２」の第４バイトに記録される。また、上記第３の演奏情報を上記データ領域Ｄ２とデータ領域Ｄ４に亘って記録したことにより、記録データの記録可能な空き領域は、〔５ＤＤ〕Ｈクラスタから〔７０８〕Ｈクラスタまでのデータ領域Ｄ５になるので、上記縦方向アドレス「１２」の第１バイトのポインタＰ−ＦＲＡデータ〔００〕Ｈにより指定された縦方向アドレス「７６」の第１乃至第３バイトとして上記データ領域Ｄ５の開始アドレス情報（すなわち〔０５ＤＤ〕Ｈクラスタ，〔００〕Ｈセクタ）が記録される。また、次の縦方向アドレス「７７」の第１乃至第３バイトとして上記データ領域Ｄ５の終了アドレス情報（すなわち〔０７０８〕Ｈクラスタ，〔１Ｆ〕Ｈセクタ）が記録される。さらに、上記縦方向アドレス「７７」の第４バイトのポインタＬｉｎｋ−Ｐデータとして、このデータ領域Ｄ５に続く空き領域がないことを示す〔００〕Ｈが記録される。
【００３１】
そして、上記縦方向アドレス「１２」の第４バイトのポインタＰ−ＴＮＯ３データ〔０２〕Ｈにより指定された縦方向アドレス「８０」の第１乃至第３バイトとして上記データ領域Ｄ２の開始アドレス情報（すなわち〔０１ＣＣ４H クラスタ，〔００〕Ｈセクタ）が記録される。また、次の縦方向アドレス「８１」の第１乃至第３バイトとして上記データ領域Ｄ２の終了アドレス情報（すなわち〔０３８３〕Ｈクラスタ，〔１Ｆ〕Ｈセクタ）が記録される。さらに、上記縦方向アドレス「８１」の第４バイトのポインタＬｉｎｋ−Ｐデータとして、上記縦方向アドレス「８４」を示す〔０４〕Ｈが記録される。上記ポインタＬｉｎｋ−Ｐデータ〔０４〕Ｈにより指定された縦方向アドレス「８４」の第１乃至第３バイトとして上記データ領域Ｄ４の開始アドレス情報（すなわち〔０５４６〕Ｈクラスタ，〔００〕Ｈセクタ）が記録される。また、次の縦方向アドレス「８５」の第１乃至第３バイトとして上記データ領域Ｄ４の終了アドレス情報（すなわち〔０５ＤＣ〕Ｈクラスタ，〔１Ｆ〕Ｈセクタ）が記録される。さらに、上記縦方向アドレス「８５」の第４バイトのポインタＬｉｎｋ−Ｐデータとして、このデータ領域Ｄ４に続くデータ領域がないことを示す〔００〕Ｈが記録される。
【００３２】
そして、この実施例の光ディスク記録再生装置は、上記スピンドルモータ１により回転される光磁気ディスク１に対し、例えば光学ヘッド３によりレーザ光を照射した状態で記録データに応じた変調磁界を磁気ヘッド４により印加することによって、上記光磁気ディスク２の上記記録再生領域Ａ２０の記録トラックに沿ってデータの記録（いわゆる磁界変調記録）を行い、また上記光磁気ディスク２の再生専用領域Ａ１０及び記録再生領域Ａ２０の記録トラックを上記光学ヘッド３によりレーザ光でトレースすることによって、光学的にデータの再生を行うものである。
【００３３】
上記光学ヘッド３は、例えば図８に示すように、レーザダイオード等のレーザ光源３１やコリメータレンズ３２、ビームスプリッタ３３、対物レンズ３４、偏光ビームスプリッタ３５等の光学部品及び上記偏光ビームスプリッタ３５により分離された光を検出する第１及び第２のフォトディテクタ３６，３７、これらのフォトディテクタ３６，３７による各検出出力を加算合成する第１の信号合成器３８及び各検出出力を減算合成する第１の信号合成器３９等から構成されており、上記光磁気ディスク１を間にして上記磁気ヘッド４と対向する位置に設けられている。この光学ヘッド３は、上記光磁気ディスク２の記録再生領域Ａ２０にデータを記録するときに、後述する記録系のヘッド駆動回路１６により上記磁気ヘッド４が駆動されて記録データに応じた変調磁界が印加される上記光磁気ディスク２の目的トラックに照射することによって、熱磁気記録によりデータ記録を行う。また、この光学ヘッド３は、目的トラックに照射したレーザ光の反射光を検出することにより、例えば所謂非点収差法によりフォーカスエラーを検出し、また例えば所謂プッシュプル法によりトラッキングエラーを検出する。さらに、この光学ヘッド３は、上記光磁気ディスク２の再生専用領域Ａ１０からデータを再生するときには、レーザ光の目的トラックからの反射光の光量変化を検出することにより再生信号を得ることができ、上記フォトディテクタ３６，３７による各検出出力を上記第１の信号合成器３８により加算合成した再生信号を切り換えスイッチ４０を介して出力する。また、上記光磁気ディスク２の記録再生領域Ａ２０からデータを再生するときには、レーザ光の目的トラックからの反射光の偏光角（カー回転角）の違いを検出することにより再生信号を得ることができ、上記フォトディテクタ３６，３７による各検出出力を上記第２の信号合成器３９により減算合成した再生信号を上記切り換えスイッチ４０を出力する。ここで、上記切り換えスイッチ４０は、後述するシステムコントローラ７により各動作モードに応じた切り換え制御がなされるようになっている。
【００３４】
上記光学ヘッド３の出力は、図１に示すようにＲＦ回路５に供給される。このＲＦ回路５は、上記光学ヘッド３の出力からフォーカスエラー信号やトラッキングエラー信号を抽出してサーボ制御回路６に供給するとともに、再生信号を２値化して後述する再生系のデコーダ２１に供給する。
【００３５】
上記サーボ制御回路６は、例えばフォーカスサーボ制御回路やトラッキングサーボ制御回路、スピンドルモータサーボ制御回路、スレッドサーボ制御回路などから構成される。上記フォーカスサーボ制御回路は、上記フォーカスエラー信号が零になるように、上記光学ヘッド３の光学系のフォーカス制御を行う。また、上記トラッキングサーボ制御回路は、上記トラッキングエラー信号が零になるように上記光学ヘッド３の光学系のトラッキング制御を行う。さらに、上記スピンドルモータサーボ制御回路は、上記光磁気ディスク２を所定の回転速度（例えば一定線速度）で回転駆動するように上記スピンドルモータ１を制御する。また、上記スレッドサーボ制御回路は、システムコントローラ７により指定される上記光磁気ディスク２の目的トラック位置に上記光学ヘッド３及び磁気ヘッド４を移動させる。このような各種制御動作を行う上記サーボ制御回路６は、該サーボ制御回路６により制御される各部の動作状態を示す情報を上記システムコントローラ７に供給する。
【００３６】
また、上記システムコントローラ７は、キー入力操作部８や表示部９が接続されている。このシステムコントローラ７は、上記キー入力操作部８による操作入力情報により指定される動作モードで記録系及び再生系の制御を行う。また、このシステムコントローラ７は、上記光磁気ディスク２の記録トラックから再生されるセクタ単位のアドレス情報に基づいて、上記光学ヘッド３及び磁気ヘッド４がトレースしている上記記録トラック上の記録位置や再生位置を管理する。上記システムコントローラ７は、上記光磁気ディスク２の再生専用領域Ａ１０のリードイン領域Ａ１２から読み出されるＴＯＣデータをＴＯＣメモリ２０に記憶しておき、このＴＯＣデータに基づいて再生専用領域Ａ１０のデータ領域Ａ１１の再生位置を管理する。さらに、上記システムコントローラ７は、上記光磁気ディスク２の記録再生領域Ａ２０のリードイン領域Ａ２２から読み出されるＴＯＣデータをＴＯＣメモリ２０に記憶しておき、このＴＯＣデータに基づいて記録再生領域Ａ２０のデータ領域Ａ２１に対する記録位置や再生位置を管理する。そして、記録モード時には、上記記録再生領域Ａ２０のデータ領域Ａ２１の記録位置などを示す上述の如きＴＯＣデータテーブルを上記ＴＯＣメモリ２０に自動的に生成し、このＴＯＣデータを記録モードの終了時に上記リードイン領域Ａ２２に記録する制御を行う。
【００３７】
そして、この光ディスク記録再生装置の記録系は、入力端子１０からローパスフィルタ１１を介してアナログのオーディオ信号ＡＩＮが供給されるＡ／Ｄ変換器１２を備えている。
【００３８】
上記Ａ／Ｄ変換器１２は、上記オーディオ信号ＡＩＮを量子化し、２ch×１６bit ×４４．１ｋＨｚ≒１．４Ｍ bit／ｓのデータレートのディジタルオーディオデータを形成する。このＡ／Ｄ変換器１２から得られたディジタルオーディオデータは、ＡＴＲＡＣ（Adaptive Transform Acoustic Coding) エンコーダ１３に供給される。
【００３９】
このＡＴＲＡＣエンコーダ１３は、上記オーディオ信号ＡＩＮを上記Ａ／Ｄ変換器１２により量子化した１．４Ｍ bit／ｓのデータレートのディジタルオーディオデータについて、最大約２０ｍｓのデータを１ブロックとして、時間軸の波形をいわゆる直交変換によって周波数軸の約１，０００の成分に分析し、聴感上重要な周波数成分から順に抽出して３００ｋbit／ｓのデータレートのディジタルオーディオデータを生成する。すなわち、上記１．４Ｍ bit／ｓのデータレートのディジタルオーディオデータを１／５の３００ｋ bit／ｓのデータレートのディジタルオーディオデータに圧縮する処理を行う。これによりデータの転送速度を標準のＣＤ−ＤＡフォーマットにおける７５セクタ／秒から１５セクタ／秒に変換する。
【００４０】
次に上記メモリ１４は、データの書き込み及び読み出しが上記システムコントローラ７により制御され、上記ＡＴＲＡＣエンコーダ１３から供給される圧縮オーディオデータを一時的に記憶しておき、必要に応じてディスク上に記録するためのバッファメモリとして用いられている。すなわち、上記ＡＴＲＡＣエンコーダ１３から供給される圧縮オーディオデータは、そのデータ転送速度が、標準的な７５セクタ／秒のデータ転送速度の１／５、すなわち１５セクタ／秒に低減されており、この圧縮データがメモリ１４に連続的に書き込まれる。この圧縮データは、５セクタにつき１セクタの記録を行えば足りるが、このような５セクタおきの記録は事実上不可能に近いため、後述するようなセクタ連続の記録を行うようにしている。この記録は、休止期間を介して、所定の複数セクタ（例えば３２セクタ＋数セクタ）から成るクラスタを記録単位として、７５セクタ／秒のデータ転送速度でバースト的に行われる。すなわちメモリ１４においては、上記ビット圧縮レートに応じた１５（＝７５／５）セクタ／秒の低い転送速度で連続的に書き込まれた圧縮オーディオデータが、記録データとして上記７５セクタ／秒の転送速度でバースト的に読み出される。この読み出されて記録されるデータについて、記録休止期間を含む全体的なデータ転送速度は、上記１５セクタ／秒の低い速度となっているが、バースト的に行われる記録動作の時間内での瞬時的なデータ転送速度は上記７５セクタ／秒となっている。
【００４１】
上記メモリ１４から上記７５セクタ／秒の転送速度でバースト的に読み出された圧縮オーディオデータすなわち記録データは、エンコーダ１５に供給される。ここで、上記メモリ１４からエンコーダ１５に供給されるデータ列において、１回の記録で連続記録される単位は、複数セクタ（例えば３２セクタ）から成るクラスタ及び該クラスタの前後位置に配されたクラスタ接続用の数セクタとしている。このクラスタ接続用セクタは、エンコーダ１５でのインターリーブ長より長く設定しており、インターリーブされても他のクラスタのデータに影響を与えないようにしている。
【００４２】
すなわち、この光ディスク記録再生装置における記録データ（メモリ１４から読み出されたデータ）は、一定数のセクタ（あるいはブロック）毎にクラスタ化され、これらのクラスタの間にクラスタ接続用の幾つかのセクタが配された形態となっている。具体的には図９に示すように、クラスタＣは３２個のセクタ（ブロック）Ｂ０〜Ｂ３１と１個のサブコードセクタＳと３個の接続用（リンキング用）セクタＬ１〜Ｌ３の計３６セクタからなり、上記リンキングセクタＬ１〜Ｌ３を介して隣のクラスタと連結されている。ここで１つのクラスタ、例えばｋ番目のクラスタＣｋを記録する場合には、このクラスタＣｋの３２個のセクタＢ０〜Ｂ３１及び１個のサブコードセクタＳのみならず、クラスタＣｋ−１ 側の２個のセクタＬ２，Ｌ３（ラン−インブロック）とクラスタＣｋ＋１ 側の１個のセクタＬ１（ラン−アウトブロック）とを含めて、計３６セクタを単位として記録を行うようにしている。このとき、これらの３６セクタ分の記録データが上記メモリ１４からエンコーダ１５に送られ、このエンコーダ１５でインターリーブ処理が行われることにより、最大１０８フレーム（約１．１セクタに相当）の距離の並べ換えが行われるが、上記クラスタＣｋ内のデータについては、上記ラン−インブロックＬ２，Ｌ３からラン−アウトブロックＬ１までの範囲内に十分に収まっており、他のクラスタＣｋ−１やＣｋ＋１に影響を及ぼすことがない。なお、リンキング用セクタＬ１〜Ｌ３には、例えば０等のダミィデータが配されており、インターリーブ処理による本来のデータに対する悪影響を回避できる。
【００４３】
このようなクラスタ単位の記録を行わせることにより、他のクラスタとの間でのインターリーブによる相互干渉を考慮する必要がなくなり、データ処理が大幅に簡略化される。また、フォーカス外れ、トラッキングずれ、その他の誤動作等により、記録時に記録データが正常に記録できなかった場合には上記クラスタ単位で再記録が行え、再生時に有効なデータ読み取りが行えなかった場合には上記クラスタ単位で再読み取りが行える。
【００４４】
上記エンコーダ１５は、上記メモリ１４から上述したようにバースト的に供給される記録データについて、エラー訂正のための符号化処理（パリティ付加及びインターリーブ処理）やＥＦＭ符号化処理などを施す。このエンコーダ１５による符号化処理の施された記録データが、上記磁気ヘッド駆動回路１６に供給される。この磁気ヘッド駆動回路１６は、上記磁気ヘッド４が接続されており、上記記録データに応じた変調磁界を上記光磁気ディスク２に印加するように上記磁気ヘッド４を駆動する。
【００４５】
また、上記システムコントローラ７は、上記メモリ１４に対する上述の如きメモリ制御を行うとともに、このメモリ制御により上記メモリ１４からバースト的に読み出される上記記録データを上記光磁気ディスク２の記録トラックに連続的に記録するように記録位置の制御を行う。この記録位置の制御は、上記システムコントローラ７により上記メモリ１４からバースト的に読み出される上記記録データの記録位置を管理して、上記光磁気ディスク２の記録トラック上の記録位置を指定する制御信号を上記サーボ制御回路６に供給することによって行われる。
【００４６】
すなわち、この光ディスク記録再生装置において、上記Ａ／Ｄ変換器１２から得られるディジタルデータは、上述のようにサンプリング周波数４４.1ｋHz、量子化ビット数１６ビット、データ転送速度７５セクタ／秒のオーディオＰＣＭデータである。これがＡＴＡＲＣエンコーダ１３に送られて、データ転送レートが１／５の１５セクタ／秒の圧縮オーディオデータとなって出力される。このＡＴＲＡＣエンコーダ１３から１５セクタ／秒の転送速度で連続的に出力される圧縮オーディオデータが上記メモリ１４に供給される。
【００４７】
そして、上記システムコントローラ７は、図１０に示すように、上記メモリ１４のライトポインタＷを１５セクタ／秒の転送速度で連続的にインクリメントすることにより、圧縮オーディオデータを上記メモリ１４に１５セクタ／秒の転送速度で連続的に書き込み、上記メモリ１４内に記憶されている上記圧縮オーディオデータのデータ量が所定量Ｋ以上になると、上記メモリ１４のリードポインタＲを７５セクタ／秒の転送速度でバースト的にインクリメントして、上記メモリ１４から上記圧縮オーディオデータを記録データとして所定量Ｋだけ上記７５セクタ／秒の転送速度でバースト的に読み出すようにメモリ制御を行う。
【００４８】
このような上記システムコントローラ７による上記メモリ制御によって、上記ＡＴＲＡＣエンコーダ１３から例えば１５セクタ／秒の転送速度で連続して出力される圧縮オーディオデータを上記１５セクタ／秒の転送速度で上記メモリ１４に書き込み、このメモリ１４内に記憶されている上記圧縮オーディオデータのデータ量が所定量Ｋ以上になると、上記メモリ１４から上記圧縮オーディオデータを記録データとして所定量Ｋだけ７５セクタ／秒の転送速度でバースト的に読み出すようにしたので、上記メモリ１４内に常に所定量以上のデータ書き込み領域を確保しながら入力データを上記メモリ１４に連続的に書き込むことができる。
【００４９】
ここで、上記メモリ１４からバースト的に読み出される記録データは、上記システムコントローラ７により上記光磁気ディスク２の記録トラック上の記録位置を制御することによって、上記光磁気ディスク２の記録トラック上で連続する状態に記録することができる。しかも上述のように上記メモリ１４には常に所定量以上のデータ書き込み領域が確保されているので、外乱等によりトラックジャンプ等が発生したことを上記システムコントローラ７が検出して上記光磁気ディスク２に対する記録動作を中断した場合にも、上記所定量以上のデータ書き込み領域に入力データを書き込み続け、その間に復帰処理動作を行うことができ、上記光磁気ディスク２の記録トラック上には、入力データを連続した状態に記録することができる。
【００５０】
次に、この光ディスク記録再生装置における再生系について説明する。この再生系は、上記光磁気ディスク２の再生専用領域Ａ１０及び記録再生領域Ａ２０の記録トラック上に連続的に記録された記録データを再生するためのものであり上記光学ヘッド３によって上記光磁気ディスク２の記録トラックをレーザ光でトレースすることにより得られる再生出力、すなわち、上記第１の信号合成器３８上記切り換えスイッチ４０を介して出力される上記再生専用領域Ａ１０の再生信号又は第２の信号合成器３９から上記切り換えスイッチ４０を介して出力される上記記録再生領域Ａ２０の再生信号が上記ＲＦ回路５により２値化されて供給されるデコーダ２１を備える。
【００５１】
上記デコーダ２１は、上述の記録系における上記エンコーダ１５に対応するものであって、上記ＲＦ回路５により２値化された再生出力について、エラー訂正のための上述の如き復号化処理やＥＦＭ復号化処理などの処理を行い上述の圧縮オーディオデータを７５セクタ／秒の転送速度で再生する。このデコーダ２１により得られる再生データは、メモリ２２に供給される。上記メモリ２２は、データの書き込み及び読み出しが上記システムコントローラ７により制御され、上記デコーダ２１から７５セクタ／秒の転送速度で供給される再生データがその７５セクタ／秒の転送速度でバースト的に書き込まれる。また、このメモリ２２は、上記７５セクタ／秒の転送速度でバースト的に書き込まれた上記再生データが１５セクタ／秒の転送速度で連続的に読み出される。
【００５２】
上記システムコントローラ７は、上記光磁気ディスク２の再生専用領域Ａ１０のリードイン領域Ａ１２から読み出されるＴＯＣデータや上記記録再生領域Ａ２０のリードイン領域Ａ２２から読み出されるＴＯＣデータを上記ＴＯＣメモリ２０に記憶しておき、このＴＯＣデータに基づいて上記再生専用領域Ａ１０のデータ領域Ａ１１や上記記録再生領域Ａ２０のデータ領域Ａ２１に対する記録位置や再生位置を管理する。
【００５３】
そして、上記システムコントローラ７は、上記再生データを上記メモリ２２に７５セクタ／秒の転送速度で書き込むとともに、上記メモリ２２から上記再生データを上記１５セクタ／秒の転送速度で連続的に読み出すようなメモリ制御を行うとともに、このメモリ制御により上記メモリ２２からバースト的に書き込まれる上記再生データを上記光磁気ディスク２の記録トラックから連続的に再生するように再生位置の制御を行う。この再生位置の制御は、上記システムコントローラ７により上記メモリ２２からバースト的に読み出される上記再生データの再生位置を管理して、上記光磁気ディスク２の記録トラック上の再生位置を指定する制御信号を上記サーボ制御回路６に供給することによって行われる。
【００５４】
すなわち、上記システムコントローラ７は、図１１に示すように、上記メモリ２２のライトポインタＷを７５セクタ／秒の転送速度でインクリメントして、上記再生データを上記メモリ２２に７５セクタ／秒の転送速度で書き込むとともに、上記メモリ２２のリードポインタＲを１５セクタ／秒の転送速度で連続的にインクリメントして、上記メモリ２２から上記再生データを上記１５セクタ／秒の転送速度で連続的に読み出し、上記ライトポインタＷ) が上記リードポインタＲに追い付いたら書き込みを停止し、上記メモリ２２内に記憶されている上記再生データのデータ量が所定量Ｌ以下になると書き込みを行うように上記メモリ２２のライトポインタＷを７５セクタ／秒の転送速度でバースト的にインクリメントしてメモリ制御を行う。
【００５５】
このような上記システムコントローラ７による上記メモリ制御によって、上記光磁気ディスク２の記録トラックから再生される圧縮オーディオデータを７５セクタ／秒の転送速度でバースト的に上記メモリ２２に書き込み、上記メモリ１４から上記圧縮オーディオデータを再生データとして７５セクタ／秒の転送速度で連続的に読み出すようにしたので、上記メモリ２２に対する上記メモリ２２内に常に所定量Ｌ以上のデータ読み出し領域を確保しながら、再生データを上記メモリ２２から連続的に読み出すことができる。また、上記メモリ２２からバースト的に読み出される再生データは、上記システムコントローラ７により上記光磁気ディスク２の記録トラック上の再生位置を制御することによって、上記光磁気ディスク２の記録トラックから連続する状態で再生することができる。しかも、上述のように上記メモリ２２には常に所定量Ｌ以上のデータ読み出し領域が確保されているので、外乱等によりトラックジャンプ等が発生したことを上記システムコントローラ７が検出して上記光磁気ディスク２に対する再生動作を中断した場合にも、上記所定量Ｌ以上のデータ読み出し領域から再生データを読み出してアナログオーディオ信号の出力を継続することができその間に復帰処理動作を行うことができる。
【００５６】
上記メモリ２２から１５セクタ／秒の転送速度で連続的に読み出された再生データとして得られ圧縮オーディオデータは、ＡＴＲＡＣデコーダ２３に供給される。このＡＤＰＣＭデコーダ２３は、上記記録系のＡＴＲＡＣエンコーダ１３に対応するもので、上記システムコントローラ７により動作モードが指定されて、この光ディスク記録再生装置では上記圧縮オーディオデータを５倍にデータ伸長して７５セクタ／秒の転送速度のディジタルオーディオデータを再生する。このＡＴＲＡＣデコーダ２３によりディジタルオーディオデータは、Ｄ／Ａ変換器２４に供給される。
【００５７】
上記Ｄ／Ａ変換器２４は、上記ＡＴＲＡＣデコーダ２３から供給されるディジタルオーディオデータをアナログ化して、アナログのオーディオ信号ＡＯＵＴを形成する。このＤ／Ａ変換器２４により得られるアナログのオーディオ信号ＡＯＵＴは、ローパスフィルタ２５を介して出力端子２６から出力される。
【００５８】
なお、この実施例の光ディスク記録再生装置の再生系では、ディジタル出力機能も備えており、上記ＡＴＲＡＣデコーダ２３によりディジタルオーディオデータがディジタル出力エンコーダ２７を介してディジタルオーディオ信号ＤＯＵＴとしてディジタル出力端子２８から出力されるようになっている。
【００５９】
以上のように、この実施例の光ディスク記録再生装置では、上記光ディスク２の記録再生領域Ａ２０に演奏情報などのデータが記録されるデータ領域Ａ２１と、その内周側に設けられたリードイン領域Ａ２２とを有しており、上記データ領域Ａ２１に記録された記録データの記録位置や記録内容を示すＴＯＣデータとして、上記データ領域Ａ２１に記録された記録データの記録位置や記録内容を示すＴＯＣデータとして、各データ領域に記録された一連の記録データを示すトラック番号情報からなるトラック番号テーブルのデータと、各データ領域の位置を示すアドレス情報と１のデータ領域から他のデータ領域への結合先を示す結合アドレス情報とからなるアドレステーブルのデータが上記リードイン領域Ａ２２に記録されるので、一連の記録データを分割して複数のデータ領域に記録することができる。また、上記リードイン領域Ａ２２から読み出されるＴＯＣデータに基づいて、上記データ領域Ａ２１の再生位置を管理することにより、上記記録再生領域Ａ２０の複数のデータ領域に分割して記録された一連の記録データを再生することができる。しかも、上記一連の記録データを上記トラック番号テーブルのデータにより、簡単に且つ確実に管理することができる。
【００６０】
【発明の効果】
以上のように、本発明に係るディスクでは、トラック番号テーブルがアドレステーブルのスロット位置を指示し、スロット内の結合情報が結合すべきパーツに対応する上記アドレステーブルのスロット位置を指示するので、一連の記録データの管理を簡単かつ確実に行うことができ、一連の記録データを複数の記録可能領域を介して記録再生することができる。
【図面の簡単な説明】
【図１】本発明の一実施例としての光ディスク記録再生装置の構成例を示すブロック図である。
【図２】上記光ディスク記録再生装置に使用した光磁気ディスクの構造を説明するための模式的な平面図である。
【図３】上記光磁気ディスクのリードイン領域に記録するＴＯＣデータのデータテーブルを示す図である。
【図４】  上記光磁気ディスクのデータ領域の記録状態を示す図である。
【図５】上記図４に示したデータ領域の記録状態に対応するＴＯＣデータの内容を示す図である。
【図６】上記図４に示したデータ領域の記録状態から第３の演奏情報を記録した場合のデータ領域の記録状態示す図である。
【図７】上記図６に示したデータ領域の記録状態に対応するＴＯＣデータの内容を示す図である。
【図８】上記光ディスク記録再生装置に用いた光学ヘッド部分の構成を示すブロック図である。
【図９】上記光磁気ディスクの記録再生領域に記録する記録データのクラスタ構造のフォーマットを示す図である。
【図１０】上記光ディスク記録再生装置の記録系においてメモリ制御されたメモリの状態を示す図である。
【図１１】上記光ディスク記録再生装置の再生系においてメモリ制御されたメモリの状態を示す図である。
【図１２】従来のディスクにおけるデータ領域の記録状態示す図である。
【図１３】上記図１２に示したデータ領域の記録状態に対応するＴＯＣデータの内容を示す図である。
【符号の説明】
２  光磁気ディスク、３  光学ヘッド、４  磁気ヘッド、６  サーボ制御回路、７  システムコントローラ、１２  Ａ／Ｄ変換器、１３  ＡＴＲＡＣエンコーダ、１４  メモリ、１５  エンコーダ、１６  磁気ヘッド駆動回路、２０  ＴＯＣメモリ、２１  デコーダ、２２  メモリ、２３  ＡＴＲＡＣデコーダ、２４  Ｄ／Ａ変換器、Ａ１０  再生専用領域、Ａ２０  記録再生領域、Ａ２１  データ領域、Ａ２２  リードイン領域
【図１】
0003729758.tif 000003
【図２】
0003729758.tif 000004
【図３】
0003729758.tif 000005
【図４】
0003729758.tif 000006
【図５】
0003729758.tif 000007
【図６】
0003729758.tif 000008
【図７】
0003729758.tif 000009
【図８】
0003729758.tif 000010
【図９】
0003729758.tif 000011
【図１０】
0003729758.tif 000012
【図１１】
0003729758.tif 000013
【図１２】
0003729758.tif 000014
【図１３】
0003729758.tif 000015